(57)【要約】【課題】既設のユニットバス内に、壁面の補強をしつつ、入浴補助機器，手すり等の設備を設置できるようにする。【解決手段】既設のユニットバスの壁面１に、室内側から補強材２を取り付け、この補強材２を樹脂製カバー１０で覆蓋して、カバー１０の表面に全身シャワー装置１１等の設備を取り付ける。【選択図】                図１
2004183371.tif 000002
【特許請求の範囲】
【請求項１】
既設のユニットバスの壁面に室内側から補強材を取り付け、該補強材に対して若しくは前記ユニットバスの壁面に対して、入浴補助機器，手すり等の設備を取り付けるように構成したことを特徴とするユニットバスの補強構造。
【請求項２】
前記補強材が連結可能に分割されていることを特徴とする請求項１に記載のユニットバスの補強構造。
【請求項３】
前記補強材を樹脂製カバーで覆蓋し、該カバーの表面に前記設備を取り付けることを特徴とする請求項１または請求項２に記載のユニットバスの補強構造。
【請求項４】
前記補強材には、配管部材固定用の孔が形成されていることを特徴とする請求項１または請求項２または請求項３に記載のユニットバスの補強構造。
【発明の詳細な説明】
【０００１】
【発明の属する技術分野】
この発明は、ユニットバスの補強構造に関するものである。
【０００２】
【従来の技術】
従来、既設のユニットバス内に入浴補助機器，手すり等を取付ける際、ユニットバスの壁面を構成する壁パネルの強度が十分でないと、ユニットバスの破損が生じる等の可能性があるため、補強部材で補強する必要があるが、従来では、ユニットバスの壁パネルの外側（裏側）に補強部材を設けて補強する構造を採用している（例えば、特許文献１参照。）。
【０００３】
【特許文献１】
特開平８−３５２８５号公報
【０００４】
【発明が解決しようとする課題】
従来では参考特許文献１のように、ユニットバスの外側に補強部材を設けて補強する構造であり、既設のユニットバスでは、補強部材を通せるだけの穴を室内側から開けて、補強部材をユニットバスの裏側へ配置させる必要があり、穴を開けない限り、ユニットバスの壁裏へ補強を設置することは不可能であり、既設のユニットバス内に入浴補助機器，手すり等の設備を後付けできない場合が多いという問題点があった。
【０００５】
【課題を解決するための手段】
本発明は、上記従来の問題点に鑑み案出したものであって、既設のユニットバスの室内側から壁面を補強して、入浴補助機器，手すり等の設備を良好に設置できるユニットバスの補強構造を提供せんことを目的とし、その第１の要旨は、既設のユニットバスの壁面に室内側から補強材を取り付け、該補強材に対して若しくは前記ユニットバスの壁面に対して、入浴補助機器，手すり等の設備を取り付けるように構成したことである。
また第２の要旨は、前記補強材が連結可能に分割されていることである。
また第３の要旨は、前記補強材を樹脂製カバーで覆蓋し、該カバーの表面に前記設備を取り付けることである。
また第４の要旨は、前記補強材には、配管部材固定用の孔が形成されていることである。
【０００６】
【発明の実施の形態】
以下、本発明の実施例を図面に基づいて説明する。なお、本例では、例えば入浴補助機器としての全身シャワー装置１１を、既設のユニットバス内に設置する場合を例示している。
既設のユニットバスの壁面を構成する壁パネル１は、その裏側外周に外周フレーム１ａが設けられ、また横フレーム１ｂ，１ｂが設けられて裏側が補強されている。なお、このフレーム１ａ，１ｂは、例えば角パイプフレームで構成されている。
【０００７】
このような既設のユニットバスの壁パネル１に対し、室内側からリフォーム用の補強材２を後付けできるものである。なお、この補強材２を構成する部材は、ステンレス製で構成されている。
この補強材２は、一対平行に立設されたコの字状断面の縦枠材３，３間に、掛渡し状にＬ字状断面の横Ｌ材４，４，４が上下に設けられており、また横方向にコの字状断面の横コの字材５，５が設けられて枠組み形成されている。この補強材２は、縦枠材３，３と、横Ｌ材４，４と、横コの字材５，５をバラバラに分割した状態で、ユニットバス内に運び込んで組立てることができるように構成されており、狭いユニットバスの入口からでも良好にユニットバス内に運び込むことができ、ユニットバス内で組立てることができるものである。
【０００８】
即ち、組立て可能なように多数のビス孔３ｂ，３ｂ，３ｂ，３ｂ，３ｂが縦枠材３，３には予め形成されており、このビス孔３ｂの何れかを選択して上下方向の適宜位置に横Ｌ材４及び横コの字材５をボルトまたはビスで締め付けて、組立てることができるものである。
なお、縦枠材３，３には、配管部材を固定するための孔（本例では丸孔）３ａ，３ａが所定位置に予め貫通形成されている。
【０００９】
図示右側の縦枠材３の下部に形成された丸孔３ａ，３ａ内に、それぞれ給水，給湯用の接続アダプタ６，６が嵌め込まれて固定されている。
また、横Ｌ材４にも配管部材固定用の孔４ａ，４ａを予め形成させておけば、この孔４ａ内にも配管接続アダプタ７を取付固定できるものである。
なお、所定形状に枠組みした補強材２をユニットバスの壁パネル１の室内側に当接させて、ビス孔３ｂ，３ｂ，３ｂにボルトまたはビスを通し、このボルトまたはビスを壁パネルのフレーム１ａ，１ｂに締め込んで、良好に壁パネル１の表面に枠組みした補強材２を室内側から取り付けることができるものであり、この補強材２により壁パネル１の強度が確保されるものである。
【００１０】
この補強部材２を壁パネル１に取り付けた状態で、室内側より補強材２に対し樹脂製カバー１０が被せられて、樹脂製カバー１０により、補強材２が覆蓋されて隠蔽されるものである。
即ち、樹脂製カバー１０は、表面部１０ａの外周に９０°折り曲げて外周立片１０ｂが一体形成されており、この樹脂製カバー１０を被せることにより、補強材２の表面及び上下左右の側面がすっぽりと覆蓋されて隠蔽されるものである。なお、樹脂製カバー１０には、ビスを通すビス孔１０ｄ，１０ｄ、及び、配管を通すための配管用孔１０ｃを形成させておき、ビス孔１０ｄ，１０ｄに表面側からビスを通し、補強材２のビス孔３ｂにビスを締め込んで、樹脂製カバー１０を良好に補強材２に取り付けできるものである。
【００１１】
また、取付状態では、例えば配管接続アダプタ７が、配管用孔１０ｃから室内側に突出されるものである。
この樹脂製カバー１０の表面に、図２に示すような全身シャワー装置１１を取り付けることができ、全身シャワー装置１１を取り付けるためのボルトやビスは、樹脂製カバー１０を通して補強材２に締め付けて、強固に補強材２を介して壁パネル１に全身シャワー装置１１を取付固定することができ、全身シャワー装置１１の重量が大であっても、強固に支持させることができ、既設のユニットバス内に全身シャワー装置１１を後付け設置して使用することができるものとなる。
【００１２】
なお、全身シャワー装置１１は、上下方向に回動できる一対の上アーム１１ａ，１１ａと、固定状の一対の下アーム１１ｂ，１１ｂを備えており、各アーム１１ａ，１１ｂには、複数のノズルが設けられて、各ノズルからシャワー水を噴出させることができるものである。
【００１３】
なお、図１において、接続アダプタ６，６には、給水管及び給湯管がそれぞれ接続され、この接続アダプタ６，６からホース等で配管接続アダプタ７，７に接続して、配管接続アダプタ７，７に全身シャワー装置１１の配管を接続し、良好に全身シャワー装置１１の各ノズルへ湯水を供給できるものである。
【００１４】
なお、本例では、全身シャワー装置１１を設ける場合を例示しているが、図３に示すように、壁パネル１に、板状等の補強材２を固定して、壁パネル１の撓みを防いだ状態で、壁パネル１に手すり１３を後付け設置し、手すり１３を強固に支持させることができるものとなる。
その他の入浴補助機器等の設備も、同様な構成部材により、既設のユニットバス内に室内側から良好に後付けすることができるものであり、既設のユニットバス内を良好にリフォームすることができるものとなる。
【００１５】
【発明の効果】
本発明のユニットバスの補強構造は、既設のユニットバスの壁面に室内側から補強材を取り付け、補強材に対して若しくはユニットバスの壁面に対して、入浴補助機器，手すり等の設備を取り付けるように構成したことにより、補強材を室内側から容易に既設のユニットバスの壁面に取り付け、この補強材により壁面の強度を確保して、良好に入浴補助機器，手すり等の設備を設置することができ、これまで強度不足であったために取り付けることのできなかった入浴補助機器等を、良好に既設のユニットバス内に設けることが可能となる。
【００１６】
また、補強材が連結可能に分割されていることにより、搬入経路の狭い現場においても、バラバラの状態で補強材をユニットバス内に搬入して、現場で良好に組立てて用いることができるものとなる。
【００１７】
また、補強材を樹脂製カバーで覆蓋し、カバーの表面に設備を取り付けることとしたため、補強材を良好にカバーで隠蔽させて、ユニットバス内の意匠性を確保することができ、また、補強材に手等が触れることがカバーにより防がれることで、安全に入浴補助機器，手すり等の設備を使用できるものとなる。
【００１８】
また、補強材には、配管部材固定用の孔が形成されていることにより、現場で組立てる際に、配管の固定等を容易に行うことができ、作業性が向上するものとなる。
【図面の簡単な説明】
【図１】ユニットバスを構成する壁パネルに、室内側から、補強材と樹脂製カバーを設置する場合の分解斜視構成図である。
【図２】樹脂製カバーの表面に取り付けることができる全身シャワー装置の斜視構成図である。
【図３】ユニットバスを構成する壁パネルに、室内側から、補強材を設置するとともに、手すりを設置する場合の斜視構成図である。
【符号の説明】
１    壁パネル
１ａ    外周フレーム
１ｂ    横フレーム
２    補強材
３    縦枠材
３ａ    丸孔
３ｂ    ビス孔
４    横Ｌ材
４ａ    孔
５    横コの字材
６    給水用接続アダプタ
７    配管接続アダプタ
１０    樹脂製カバー
１０ａ    表面部
１０ｂ    外周立片
１０ｃ    配管用孔
１１    全身シャワー装置
１３  手すり
【図１】
2004183371.tif 000003
【図２】
2004183371.tif 000004
【図３】
2004183371.tif 000005